(57)【要約】【課題】  配線束の電線を、高速にかつ、個別に識別することができる装置を提供する。【解決手段】配線の引き回し作業において、配線束の電線1本1本に、重複しない配線番号をつけ、接続端子に、配線元の電線束の電線１本ずつを接続し、配線先に接続された配線番号表示機２を順次走査し、その電線に対応する配線番号のデジタルコードを、現在配線番号表示機２が接続されている接続端子へ、シリアルデータとして送信する機能を持った配線番号送信機１と、配線先の電線束の電線１本に接続し、電線選択信号を送出し、配線番号送信機１より送信されたシリアルデータを読み込み、デジタルコードとして表示機へ表示する機能を持った配線番号表示機２を、それぞれ配線元と、配線先へ接続し、配線番号表示機２へ表示された配線番号で、配線先の電線束の選択した電線の配線番号を表示し、接続した電線の配線番号を高速かつ、個別に識別する装置。【選択図】                  図１
2005045975.tif 000002
【特許請求の範囲】
【請求項１】
配線の引き回し作業において、複数の電線で配線された配線束の電線１本１本に、重複しない配線番号をつけ、配線番号送信機の接続端子に、配線元の電線束の電線１本ずつを接続し、配線先の配線束の電線１本に配線番号表示機が接続されたことを順次走査し、接続されたことが認識される電線に対応する配線番号のデジタルコードを、現在、配線番号表示機が接続されている接続端子へ、シリアルデータとして送信する機能を持った配線番号送信機と、配線先の電線束の電線１本に接続し、配線番号送信機より送信されたシリアルデータを読み込み、デジタルコードとして表示機へ表示する機能を持った配線番号表示機を、それぞれ配線元と、配線先へ接続し、配線番号表示機へ表示された配線番号で、配線先の電線束の選択した電線の配線番号を表示し、接続した電線の配線番号を個別に識別する装置。
【発明の詳細な説明】
【技術分野】
【０００１】
本発明は、電気工事の配線の引き回し、接続作業を容易に行うための電線識別装置に関するものである。
【背景技術】
【０００２】
電線束の中から目的の電線を見つけ出すために、通常、電線の色分け、識別ラベルの取り付けを行い、最終的に電線1本、1本の電線の導通検査を行い、接続されている電線が間違いないかをチェックする作業を行っているが、電線の導通チェックを行うには、配線元と、配線先に少なくとも１人ずつの作業者が必要で、また、多量の電線束の中から、目的の１本の電線を見つけ出すのは、確立からいって効率が悪く、非常に大変な作業である。これを解決すべく、すべての電線に識別コードを順次送信し受信機で表示する方法もあるが、電線が多量になると識別コードの送信を一巡するのに時間が必要になる欠点がある。
【特許文献１】特開平１０−８２８１７
【発明の開示】
【発明が解決しようとする課題】
【０００３】
解決しようとする問題点は、従来、配線の引き回し、接続作業において、電線の識別作業は電線の本数が増えるほど大変な作業であった。これは、多数の電線から目的の電線１本を見つける作業に手間がかかるためである。配線作業は、配線元から、配線先へ直接指定された規格の電線を接続する作業であるが、電線の本数が３本、４本という少数の場合は、色分け等により容易に識別できるが、これが多量になるとそれだけでは識別できなくなる。このため、配線の引き回し前に電線の先端に記号等を記入等し、電線を識別するが、引き回し中に脱落したり、擦り切れたり等で、最終的には、引き回し後にテスタ等で導通確認をし、電線を識別することを行っているが、電線識別作業において、両端に作業員が必要であったり、また、電線束の多量の電線から目的の電線1本を見つけるのは手間がかかったりと、人手で行うため工数削減が容易でない点である。また、すべての電線に識別コードを順次送信し受信機で表示する方法もあるが、1本の電線に識別コードを送信するのは高速であるが、電線が多量になると識別コードの送信を一巡するのに数秒程度時間が必要であり、読み込み途中で読み込みエラーが発生した場合には、なかなか表示できない点である。
【課題を解決するための手段】
【０００４】
配線の引き回し作業において、複数の電線で配線された配線束の電線１本１本に、重複しない配線番号をつけ、配線番号送信機の接続端子に、配線元の電線束の電線１本ずつを接続し、配線先の配線束の電線１本に配線番号表示機が接続されたことを順次走査し、接続されたことが認識される電線に対応する配線番号のデジタルコードを、現在、配線番号表示機が接続されている接続端子へ、シリアルデータとして送信する機能を持った配線番号送信機と、配線先の電線束の電線１本に接続し、配線番号送信機より送信されたシリアルデータを読み込み、デジタルコードとして表示機へ表示する機能を持った配線番号表示機を、それぞれ配線元と、配線先へ接続し、配線番号表示機へ表示された配線番号で、配線先の電線束の選択した電線の配線番号の表示を行うことで、表示された配線番号により、配線番号表示機に接続された電線の、配線番号を個別に識別することを最も主要な特徴とする。
【発明の効果】
【０００５】
導通チェックで電線束から目的の電線を１本１本識別する方法では、配線の両端で同じ電線に接続する必要があるため、電線の本数が多くなるほど、確率から言って同じ電線を何度も確認し電線を見つけ出すことになるが、本発明の場合、電線束に配線番号表示機が接続された対象電線１本を検出し、対象電線に、デジタルコードを送信し、デジタルコードを配線番号表示機で読み取ることで番号表示を行うため、電線を識別する作業が容易で、同じ電線を２回以上確認する必要がない。また、送信データーは、対象の電線のみで、順次送信する方法に対して、電線番号検出が高速に行える特徴がある。
【０００６】
電線番号表示機が接続された配線束の、電線１本に対して、配線番号に対応するデジタルコードを、自動的に送信するため、作業者は一人で配線束の片端へ配線番号送信機をセットする。その後、配線束のもう１端の接続先に配線番号表示機をセットし、受信したデジタルコードによりマーキング、配線作業を行うことが可能で、今まで二人必要であった作業を、一人で容易に行うことが可能になる。
【発明を実施するための最良の形態】
【０００７】
目的の電線番号を高速に表示するために、電線番号表示機が接続されたと認識できる電線のみに、配線番号をデジタルコードとして送信することで実現した。
【実施例１】
【０００８】
本発明の電線識別装置は、図１の通り、大きく分けて配線番号送信機１と、配線番号表示機２で構成される。
【０００９】
まず、容易に見つけられる電線、たとえばケーブルのシールド線をコモン線７ｓとし、配線番号送信機１には、接続端子５〜５ｘ（以降、接続端子５とする。）と、コモン端子３があり、コモン端子３とそれぞれの接続端子５は、フォトカプラ１１〜１１ｘ、１２〜１２ｘ（以降、フォトカプラ１１、１２とする。）を介してマイコン８と接続されている。この接続端子５へ配線束７の片端７ａを１本ずつ接続し、コモン端子３へコモン線７ｓを接続する。なお、コモン線は、配線７ｓとは別に仮設した電線を使用することも可能である。配線番号送信機１には、マイコン８が組み込まれ、マイコン８のプログラムは、配線先７ｂのどの電線に配線番号表示機２が接続されたかを接続端子５を順次走査し確認する機能と、配線番号表示機２が接続された接続端子５に、接続端子５に対応する電線番号のデジタルコードをシリアルデータとして送信できる機能がある。
【００１０】
配線番号表示機２にはコモン端子６と、入力端子４、受信コードを表示する表示器１０が取り付けられてあり、それぞれフォトカプラ１３を介して、マイコン９と接続されている。コモン端子６とコモン線７ｓ、チェック端子４と電線束７ｂの電線１本へ接続する。配線番号表示機２にはマイコン９が組み込まれ、マイコン９のプログラムは、７ｓと配線束７ｂの接続された１本の配線へ、電線へ接続したことを配線番号送信機１へ伝える機能と、シリアルデータとして送信されたデジタルコードを読み取り、そのデジタルコードを表示器１０へ表示する機能がある。
【００１１】
配線番号送信機１と、配線番号表示機２のインターフェースを、図２に示す。配線番号送信機１の接続端子５には、フォトカプラ１１の入力ＬＥＤとフォトカプラ１２の出力が接続されている。フォトカプラ１１は配線番号表示機の接続確認のために、フォトカプラ１２は配線番号表示機の接続検出と、送信コード作成に使用される。
【００１２】
多数の配線番号から、１本を選択するために、配線番号送信機１のマイコン８より出力された接続端子５に対応する、端子番号コードが、チャンネルセレクタ２０でデコードされＮＡＮＤ回路１９〜１９ｘ（以降、ＮＡＮＤ回路１９とする。）へ接続されている。これをチャンネル選択信号とし、順次１チャンネルごとに出力される。また、もう1方のＮＡＮＤ回路１９の入力回路は、マイコン８へ接続され、配線番号表示機２の接続チェックと、シリアルデータ送信に使用される。これをデーター信号とする。配線番号表示機２の接続チェックは、チャンネル選択信号と、データー信号により、ＮＡＮＤ回路１９でフォトカプラ１２をオン状態にし、フォトカプラ１１の状態がＯＲ回路１８を経由し、マイコン８へ接続された端子でチェックされる。この状態が、配線番号表示機の接続検出モードである。順次端子番号コードを変えて、すべての端子を確認する。配線番号表示機２が接続されていない場合、電流通路が確保できず、フォトカプラ１１はオフであり、抵抗１５〜１５ｘ（以降、抵抗１５とする。）でプルアップされた出力はハイレベルになる。配線番号送信機１は、未接続が認識される。また、配線番号表示機の、フォトカプラ１３もオフとなり、抵抗１７でプルアップされた出力はハイレベルとなり、マイコン９へ入力される。
【００１３】
ここで、電線番号表示機２を接続し、電流通路を確保すると、接続した電線と端子番号コードが一致したとき、電流経路が形成され、フォトカプラ１１はオン状態となる。抵抗１５でプルアップされた出力はローレベルになる。マイコン８へ入力されることで、配線番号送信機１は、チャンネル選択信号に対応する接続端子５への、配線番号表示機２の接続が認識される。これを電線選択信号とする。また、配線番号表示機２は、フォトカプラ１３がオンとなり、抵抗１７でプルアップされた出力はローレベルとなり、マイコン９へ入力される。この状態で、マイコン８により配線番号に対応するデジタルコードで、データー信号をコントロールすると、フォトカプラ１３へ状態が送信され、フォトカプラ１３の状態はマイコン９へ入力される。
【００１４】
実際には、配線番号送信機１のコモン端子３とコモン線７ｓを、配線束７ａをそれぞれの接続端子５へ接続する。このとき、マイコン８は、接続端子５を順次走査している状態である。
【００１５】
次に、配線先７ｂへ移動し、配線番号表示機１にコモン線７ｓとコモン端子６を、入力端子４と配線束７ｂの電線１本を接続する。配線番号表示機１から、電線選択信号が入力端子４から配線束７を経由して接続端子５へ送出される。
【００１６】
配線番号送信機１は、接続端子５を走査中、電線選択信号が検出されると、検出された接続端子５へ、電線選択信号が検出された接続端子５に対応する電線番号を、シリアルデータとして、電線束７を経由し入力端子４へ送出する。配線番号表示機２は、入力されたシリアルデータを読み込み、表示機１０へ配線番号を表示する。
【００１７】
配線束７の途中で配線間の短絡がある時、電線選択信号が双方へ送出されるため、双方のシリアルデータが送出される。配線番号表示機２では、短絡した双方のコードが受信されるため、短絡や、接続した機器の回り込みの表示も可能である。配線工事完了後、配線チェックをする場合、接続された機器によるデジタルコードの回りこみが発生し、複数の電線番号が表示されることが発生するが、この場合、回り込みが発生し表示された重複した番号の配線を、順次、仮にはずし、配線チェックを行うことも容易である。また、ここの配線番号送信機１の送信チャンネル数は任意に増減することが可能である。  
【産業上の利用可能性】
【００１８】
説明は、インターフェース部の給電を、配線番号送信機１から行っているが、配線番号表示機２で行うことも可能である。また、通電されていないケーブルを想定しているが、高周波を搬送波として使用しフィルタを通過することにより、活線での電線識別も容易である。
【００１９】
送信されるデジタルコードを、実際に使用する配線番号とすることで、配線番号表示機２へ、プリンタインターフェイスを付加し、ラベル等へ印刷するプリンタを接続し、マイコン９によりラベル等へ印刷するプリンタへ受信コードを印刷するデーターを送信し、受信コードを印刷することで、表示されたデジタルコードを作業者が読み取り、それを記入する作業が自動化されるため、人為的な記入ミスを無くす事が可能である。
【００２０】
また、音声合成回路を付加し表示されるデジタルコードを音声で読み上げることで、そのつど表示器を目視で確認する必要もない。
【００２１】
配線番号送信機２の送信データーに、ユニット番号を付加し、ユニット番号＋送信データーとすることで、複数の配線番号送信機１を容易に接続することが可能である。配線元が複数の場所へ点在する場合に有効な手段である。
【図面の簡単な説明】
【００２２】
【図１】配線番号識別装置の接続状態。
【図２】配線番号識別装置のインターフェース部。
【符号の説明】
【００２３】
１．．．配線番号送信機
２．．．配線番号表示機
３．．．送信機コモン端子
４．．．配線番号表示機入力端子
５．．．チャンネル接続端子
６．．．配線番号表示機コモン端子
７．．．配線束
８．．．送信機マイコン
９．．．配線番号表示機マイコン
１０．．表示機
１１．．フォトカプラ
１２．．フォトカプラ
１３．．フォトカプラ
１４．．抵抗
１５．．抵抗
１６．．抵抗
１７．．抵抗
１８．．ＯＲ回路
１９．．ＮＡＮＤ回路
【図１】
2005045975.tif 000003
【図２】
2005045975.tif 000004